(57)【要約】      （修正有）【課題】下方から見上げたときに煙や熱気流を導入するための開口部が見えにくく、意匠的に優れたものとなり得る火災感知器を提供する。【解決手段】取付面に取り付けられて、火災を感知する火災感知器１であって、本体部５の下方に支柱７を介して設けられた天面板９を有し、天面板と本体部との間に煙や熱気流等の気流を本体部に導入する開口部１１が形成され、天面板は支柱よりも外方に張り出すように設けられ、支柱からの張り出し長さが開口部の高さ以上に設定されていることを特徴とするものである。【選択図】図２
2020004066.tif 000002
【特許請求の範囲】
【請求項１】
取付面に取り付けられて、火災を感知する火災感知器であって、
本体部の下方に支柱を介して設けられた天面板を有し、該天面板と前記本体部との間に煙や熱気流等の気流を前記本体部に導入する開口部が形成されてなり、
前記天面板は前記支柱よりも外方に張り出すように設けられ、前記支柱からの張り出し長さが前記開口部の高さ以上に設定されていることを特徴とする火災感知器。
【請求項２】
前記本体部が前記支柱よりも外方に張り出す張出面を有し、該本体部における前記張出面を含む表面及び前記天面板の表面に模様が印刷または転写されていることを特徴とする請求項１に記載の火災感知器。
【請求項３】
前記天面板における少なくとも張り出し部の上面に、前記気流の流れを調整する凹凸部を設けたことを特徴とする請求項１又は２に記載の火災感知器。
【請求項４】
前記天面板の上方に該天面板の張出面と対向配置されて、前記天面板と協働して前記開口部に煙や熱気流等の気流を導く導気板を設けたことを特徴とする請求項１乃至３のいずれか一項に記載の火災感知器。
【請求項５】
前記導気板は、該導気板の外周端面が確認灯として機能するライトガイドであることを特徴とする請求項４に記載の火災感知器。
【請求項６】
取付面に取り付けられて、煙によって火災を感知する火災感知器であって、
本体部の下方に設けられた天面板と、該天面板と前記本体部との間に設けられて煙を前記本体部に導入する開口部と、該開口部内に設けられた防虫網とを有し、
前記天面板は前記防虫網よりも外方に張り出すように設けられ、前記防虫網からの張り出し長さが前記開口部の高さ以上に設定されていることを特徴とする火災感知器。
【発明の詳細な説明】
【技術分野】
【０００１】
本発明は、火災による煙や熱を感知する火災感知器に関する。
【背景技術】
【０００２】
火災感知器には、火災による煙を導入して火災を検知する煙感知器や、火災による熱気流を導入して火災を検知する熱感知器がある。
煙感知器の例としては、例えば特許文献１に開示のものがあり、検知部が内蔵された本体部と、本体部の設置状態で下方となる側に下方に延出するように設けられた支柱に支持される天板を有し、天板と本体部の間の空間が煙を導入する煙導入部になっている。この例では、天板の径は本体部の径の約半分に設定されている。
また、支柱の内側には、煙導入部を囲むように虫よけのための防虫網が設けられている。
【０００３】
他の例として、例えば特許文献２に開示された警報器がある。この警報器の筐体は、天井や壁などの設置面に固定される基台部と該基台部に着脱可能に係止される本体部によって構成されている。そして、本体部は、樹脂の一体成形によって形成され、円形の有底枠形状をしており、その底部（設置状態で下面となる部位）は天板となり、周面には煙等の流体を導入する開口部が設けられ、該開口部には縦桟と横桟が設けられている。
天板の径は基台部の径とほぼ同等に形成されている。
【先行技術文献】
【特許文献】
【０００４】
【特許文献１】特開平６−１２４３９０号公報
【特許文献２】特開２０１０−３９９３６号公報
【発明の概要】
【発明が解決しようとする課題】
【０００５】
火災感知器の外観に関して上述の２例を挙げたが、これらの筐体において共通する点として、本体部あるいは基台部の下方に縦桟や横桟を介して天面板（天板）が設けられている。そして、天面板と本体部との間に開口部が設けられ、該開口部から煙或いは熱気流を導入して火災を感知するようになっている。
【０００６】
ところで、近年、建築物の屋内に設置される防災機器にも意匠性が求められるようになっている。防災機器の一種である火災感知器は、天井面等に設置されるものであるが、天井面等の意匠的な観点からは、火災感知器は目立たない方が好まれる。そして、一般に天井面等が白色であることから、火災感知器を目立たないようにするために、火災感知器の筐体は天井面等と同一色である白色、あるいは白色に近い色になっている。
【０００７】
しかしながら、特許文献１、２に例示した従来の火災感知器では、天面板（天板）と本体部あるいは天面板（天板）と基台部との間に開口部があり、開口部には支柱又は縦桟が設けられている。
また、特許文献１の煙感知器では、開口部に虫等が内部に侵入するのを防止するための防虫網が設けられている。
開口部の内側は陰になるため、下から見上げたときには、開口部内は黒く見える。そのため、本体部や天面板の色を白色に統一しても、開口部の部分が黒く見え、いわゆるツートンカラーに見えてしまう。
また、防虫網が設けられている場合には、防虫網は銀色であり、この場合も、全体の統一感が失われ、意匠性が阻害されるという問題がある。
このように、従来の火災感知器では、煙や熱気流を導入するための開口部が下方からでも見えるため、意匠的に優れたものにするのが難しいという課題があった。
【０００８】
本発明はかかる課題を解決するためになされたものであり、下方から見上げたときに煙や熱気流を導入するための開口部が見えにくく、意匠的に優れたものとなり得る火災感知器を提供することを目的としている。
【課題を解決するための手段】
【０００９】
（１）本発明に係る火災感知器は、取付面に取り付けられて、火災を感知する火災感知器であって、
本体部の下方に支柱を介して設けられた天面板を有し、該天面板と前記本体部との間に煙や熱気流等の気流を前記本体部に導入する開口部が形成されてなり、
前記天面板は前記支柱よりも外方に張り出すように設けられ、前記支柱からの張り出し長さが前記開口部の高さ以上に設定されていることを特徴とするものである。
【００１０】
（２）また、上記（１）に記載のものにおいて、前記本体部が前記支柱よりも外方に張り出す張出面を有し、該本体部における前記張出面を含む表面及び前記天面板の表面に模様が印刷または転写されていることを特徴とするものである。
【００１１】
（３）また、上記（１）又は（２）に記載のものにおいて、前記天面板における少なくとも張り出し部の上面に、前記気流の流れを調整する凹凸部を設けたことを特徴とするものである。
【００１２】
（４）また、上記（１）乃至（３）のいずれかに記載のものにおいて、前記天面板の上方に該天面板の張出面と対向配置されて、前記天面板と協働して前記開口部に煙や熱気流等の気流を導く導気板を設けたことを特徴とするものである。
【００１３】
（５）また、上記（４）に記載のものにおいて、前記導気板は、該導気板の外周端面が確認灯として機能するライトガイドであることを特徴とするものである。
【００１４】
（６）本発明に係る火災感知器は、取付面に取り付けられて、煙によって火災を感知する火災感知器であって、
本体部の下方に設けられた天面板と、該天面板と前記本体部との間に設けられて煙を前記本体部に導入する開口部と、該開口部内に設けられた防虫網とを有し、
前記天面板は前記防虫網よりも外方に張り出すように設けられ、前記防虫網からの張り出し長さが前記開口部の高さ以上に設定されていることを特徴とするものである。
【発明の効果】
【００１５】
本発明に係る火災感知器は、本体部の下方に支柱を介して設けられた天面板を有し、該天面板と前記本体部との間に煙や熱気流等の気流を前記本体部に導入する開口部が形成されてなり、前記天面板は前記支柱よりも外方に張り出すように設けられ、前記支柱からの張り出し長さが前記開口部の高さ以上に設定されていることにより、火災感知器を下方から見上げた際に、前記天面板の張り出し部によって開口部が遮られることで、開口部が見えにくく、開口部によって外観の意匠性が阻害されることがない。そのため、火災感知器の外観を意匠的に優れたものにすることができる。
【図面の簡単な説明】
【００１６】
【図１】本発明の実施の形態に係る火災感知器の斜視図である。
【図２】図１に示した火災感知器の側面図である。
【図３】図１に示した火災感知器の分解斜視図である。
【図４】図１に示した火災感知器における天面板の張り出し長さの設定方法の説明図である。
【図５】図１に示した火災感知器の天面板の内面に設ける凹凸部の説明図である（その１）。
【図６】図１に示した火災感知器の天面板の内面に設ける凹凸部の説明図である（その２）。
【図７】図１に示した火災感知器の見え方について、従来例との比較を示す図である。
【図８】図１に示した火災感知器のベースからの取り外し方法の説明図である（その１）。
【図９】図１に示した火災感知器のベースからの取り外し方法の説明図である（その２）。
【図１０】図１に示した火災感知器の本体部への印刷方法の説明図である。
【図１１】図１に示した火災感知器の天面板への印刷方法の説明図である。
【図１２】従来例の筐体へ印刷する場合の課題を説明する説明図である。
【図１３】図１に示した火災感知器の表面に市松模様を印刷した状態を示す図である（その１）。
【図１４】図１に示した火災感知器の表面に市松模様を印刷した状態を示す図である（その２）。
【発明を実施するための形態】
【００１７】
本実施の形態を図面に基づいて説明するが、各図面は本発明の特徴を説明するためのものであり、発明の説明に必要でない部分は簡略化して示している。
また、以下の説明において、方向を表す「上」「下」は火災感知器を天井面に取り付けた状態における方向であり、「上」とは天井面側であり、「下」とは床側である。
【００１８】
本実施の形態の火災感知器１は、天井面等の取付面に取り付けられて例えば煙を検知して火災を感知する煙感知器であり、図１〜図３に示すように、取付面に固定されたベース３（図４参照）に着脱可能に取り付けられる本体部５と、本体部５の下方に支柱７を介して設けられた天面板９を有し、天面板９と本体部５との間に煙や熱気流等の気流を本体部５内に導入する開口部１１が形成されている。
また、天面板９の上方に天面板９の張出面と対向配置されて、天面板９と協働して開口部１１に煙を導く導気板１３が設けられている。
以下、各構成を詳細に説明する。
【００１９】
＜本体部＞
本体部５は、天井面等の取付面に固定されるベース３に着脱可能に取り付けられるものである。本体部５は、図３に示すように、下面に円形の開口１５を有しており、本体部５内には、ラビリンス等によって構成される検煙部１７が設けられている。検煙部１７の上端面には基板１９が設けられ、基板１９の下面外周縁部には、確認灯の光源となるＬＥＤ２１が２個設置されている。
また、検煙部１７の外周部には図示しない防虫網が設けられている。
【００２０】
また、本体部５は支柱７よりも外方に張り出す張出面２２を有し、この外面は、インクジェットプリンタ等のプリンタで模様等を印刷できるようにするため、できるだけ傾斜が少ない形状にしておくのが好ましい。
【００２１】
＜天面板＞
天面板９は、本体部５の下方に支柱７を介して設けられた平坦な円形板からなるものである。もっとも、天面板９は平坦であることは必須ではなく、湾曲した形状でもよいが、本体部５と同様に、インクジェットプリンタ等のプリンタで模様等を印刷できるようにするという観点からは、平坦面であることが好ましい。なお、印刷ではなく、カッティングシール等、シール部材を貼付けても良く、その場合であっても天面板９および本体部５は平坦面または平坦面に近い形状が良い。
【００２２】
また、天面板９は、本体部５を構成する筐体と一体的に成形されたものでもよいし、別部品として本体部５に取り付けられたものであってもよい。もっとも、天面板９と本体部５が一体成形されている場合には、インクジェットプリンタ等のプリンタでの印刷が難しくなるので、両者は別部品として作成して、組み立て時に一体化するのが好ましい。
【００２３】
天面板９は、天面板９を支持する支柱７よりも外方（取付状態で横方向）に張り出すように設けられ、支柱７からの張り出し長さＬが開口部１１の高さＨ以上に設定されている（図２参照）。
張り出し長さＬをこのように設定することで、火災感知器１を下方から見た際に、開口部１１が天面板９によって隠れて見えにくくなり、開口部１１が外観を阻害することがなくなり、火災感知器１の外観を意匠的に優れたものにすることが可能となる。
【００２４】
また、本実施の形態の火災感知器１は、煙感知器であり、上述したように防虫網が設けられているが、防虫網は、通常銀色であるため、本体部５等を白色にした場合、防虫網が見えるとツートンカラーのようになり、意匠的に好ましくない。この場合、火災感知器１を下方から見たときに防虫網が見えにくくするには、天面板９を、防虫網よりも外方に張り出すように設け、防虫網からの張り出し長さＬ´が開口部１１の高さＨ以上になるように設定すればよい。
【００２５】
一般的に、防虫網は支柱７の内側に設けられるので、防虫網を基準に張り出し長さを設定すると、天面板９の径は、支柱７を基準に張り出し長さを設定した場合よりも短くなる。そのため、防虫網を基準に張り出し長さを設定した場合には、必ずしも支柱７が見えにくくなるとは限らないが、支柱７が見えるのを許容して少なくとも防虫網をみえにくくするという選択もあり得るので、その場合には、防虫網を基準に張り出し長さを設定すればよい。
【００２６】
天面板９における支柱７からの張り出し長さＬが開口部１１の高さＨ以上になるように設定した理由を、火災感知器１を天井面に設置した状態を示す図４に基づいて説明する。
火災感知器１を下方から見上げる場合の視線の位置と見え方について検討する。
まず、真下から見上げる場合、すなわち図４に示す火災感知器１の中心線に視線がある場合には、開口部１１は天面板９に隠れて全く見えない。視線の位置が中心線からずれて、視線と中心線の成す角度αが大きくなるにしたがって、天面板９によって隠れている部分（本体部５の張出面２２）の見える範囲が増えてくる。そして、図４に示すように、αが４５度になった状態では、支柱７又は防虫網の上端が見える状態となる。換言すれば、αが４５度以下であれば、火災感知器１を下方から見上げると、支柱７は見えず、天面板９と本体部５の張出面２２が見える状態となる。αが４５度のとき、張り出し長さＬと開口部１１の高さＨとの関係は、Ｌ＝Ｈとなる。
そして、火災感知器１を見上げる場合、αが４５度以下の状態が通常であると想定されることから、αが４５度以下のときに、開口部１１が見えにくくするには、張り出し長さＬを開口部１１の高さＨ以上に設定すればよい。
なお、火災感知器１の下方からの具体的な見え方については、後述する。
【００２７】
天面板９が外方に張り出すように設けられることにより、天面板９の上面（開口部１１側の面）が煙を開口部１１に導くガイド壁として機能する。そのため、天面板９における張り出し部の上面に、煙の流れをより円滑にするため凹凸部２３を設けてもよい。凹凸部２３の例としては、図５に示すような、周方向に複数のリブ２５を所定の間隔を離して放射状に設けたものや、図６に示すように、ゴルフボールの表面に形成されたディンプルと同様のディンプル２７を周方向に所定間隔で設けたようなものでもよい。
【００２８】
なお、上記の例は、煙の流入を円滑にするものであるが、必要に応じて煙の流入を規制する、すなわち煙が流入しにくくすることも可能である。つまり、凹凸部２３は煙の流入性を調整する機能を有している。
また、凹凸部２３を設けることで、表面積を増すことができ、湯気等の本来流入させたくないものを捕捉する機能を持たせることもできる。
なお、天面板９の上面に設ける凹凸部２３は外部からは見えないので、意匠性を気にすることなく、機能面から形状、配置等を決めることができる。
【００２９】
＜導気板＞
導気板１３は、本体部５に支持部２９を介して取り付けられたドーナツ状の板体からなるものであり、天面板９の張出面と対向配置されている。導気板１３は、開口部１１の高さ方向のほぼ中間位置に空中に浮いた状態で、かつ天面板９の張り出し面に対向配置されており、天面板９と協働して開口部１１に煙を導く機能を有している。
また、導気板１３は、透明又は半透明のアクリル板によって形成されており、ＬＥＤ２１の光を導入及びガイドして周端面が光る確認灯としての機能も有している。即ち、導気板１３はライトガイドであり、また導気板１３の外周端面が確認灯として機能している。このため、導気板１３は、ＬＥＤ２１が設けられている位置に対応してＬＥＤ２１の光を導光するための光ガイド脚部３１が設けられている。
なお、導気板１３が確認灯の機能を有しない場合には、透明又は半透明である必要はない。もっとも、導気板１３が不透明であっても、導気板１３の板厚が薄い場合や、発光強度が強い場合には、ＬＥＤ２１を導気板１３の背面に配置すれば導気板１３を光らせることも可能であり、この場合には確認灯として機能させることもできる。
ここでいう確認灯とは、火災感知器１の発報時に点灯又は点滅して発報している火災感知器１を視覚的に知らせるものである。
【００３０】
導気板１３の下面側は、開口部１１の内部に位置し、開口部１１の内部は天面板９と本体部５とに挟まれてうす暗いことから、導気板１３を確認灯として機能させることで、外光に邪魔されずに確認灯としての光を確認しやすくなる。
その一方で、導気板１３を透明にすれば、形状が大きくても目立たず、本体部５と天面板９によって構成される全体意匠を阻害することもない。また、透明であれば、本体部５や天面板９の色を統一したり、模様を付したりした場合にも、これらを視覚的に遮ることがなく、全体意匠の障害になることもない。
【００３１】
さらに、導気板１３は、天面板９よりも肉厚に形成して、所定の剛性を有するものにすることで、後述するように、本体部５をベース３から着脱器によって取り外す際の係止部材として機能するようにしてもよい。（図８、図９参照）
【００３２】
上記のように構成された本実施の形態の火災感知器１の主な作用について、天面板９、導気板１３のそれぞれについて各別に説明する。
＜天面板の作用＞
図７は、天面板９による外観についての作用を説明する図であり、図中には３種類の火災感知器について見る方向を変えて示している。図中、左側が発明例、中央のものが従来例Ａ、右側が従来例Ｂである。
図７においては、各火災感知器において最も上に示したものが真横から見た状態（α＝９０度）であり、下方に示すものほど見る角度が斜めになっており（α＝６０度、α＝４５度）、最も下に示したものが真下から見た状態（α＝０度）を示している。
【００３３】
図７に示すように、発明例では、真横の状態から少し斜めになることで、開口部１１の内部が天面板９の張り出し部によって隠れて見えなくなる。そのため、例えば火災感知器１の本体部５や天面板９を白色にすると、下から見たときに全体が白色になり、例えば取付面である天井面が白色の場合には目立たなくなる。
【００３４】
また、支柱が見えると火災感知器を取り付ける際に、支柱の向きを考慮する必要があるが、本実施の形態では支柱７が見えないので、支柱の向きを考慮することなく取り付けできる。このため、火災感知器１の取付精度が要求されず、取付け作業の円滑化を図れるという効果を奏している。
【００３５】
これに対して、従来例Ａの火災感知器５１では天面板５５よりも支柱５３が外方に張り出しており、いずれの状態でも、支柱５３及び開口部５７が見える。開口部５７の内部は影になって暗く、火災感知器５１を下から見たときに、開口部５７内が見えることによりツートンカラーに見えて意匠的に好ましくない。
また、従来例Ｂの火災感知器６１の場合には、支柱６３が直立した状態であるため、従来例Ａの火災感知器５１に比較して支柱６３が見えにくくなっている。しかし、支柱６３や開口部６５内が完全に見えなくなるのは、真下からみた状態のみであり、一般的に火災感知器を真下から見る場合は少なく、従来例Ｂの火災感知器６１でも意匠的には課題がある。
【００３６】
防虫網が設けられている場合、防虫網に指等が接触することで変形するのを防止するために、防虫網の前面には格子状の桟等を設けることがあるが（図７の従来例Ｂ参照）、本実施の形態では、天面板９を張り出させているため、外部から指等が容易には接触せず、防虫網を保護するという観点での桟等が不要になる。
【００３７】
＜導気板の作用＞
導気板１３は、図１、図２に示すように、天面板９の張り出し部に対して対向配置されているので、天面板９と協働して開口部１１に煙や熱気流等の気流を導く機能を有している。このため、導気板１３がない場合に比較して、気流を開口部１１内に円滑に導入することができる。
また、導気板１３が確認灯として機能する点や、透明にすることによる作用効果については、上述の通りである。
【００３８】
なお、導気板１３に剛性を持たせることで、図８、図９に示すように、本体部５をベース３から着脱器によって取り外しする際の係止部材としても機能するようにしてもよい。本実施の形態で用いる着脱器３３は、図８に示すように、棒体３５の先端部にゴム等の弾性部材によって形成された係合部３７を有するものを用いることができる。係合部３７は、先端が開口した筒状をしており、端部の周縁に所定間隔でスリット３９が設けられており、径方向の内外に撓むことができるようになっている。
【００３９】
本体部５の取り外しの際には、係合部３７を火災感知器１の真下から近づけて（図８（ａ）、図９（ａ）参照）、係合部３７の内周面を導気板１３の外周面に合わせて、係合部３７を上方に押し上げる。これにより、係合部３７の先端部が撓んで、導気板１３が着脱器３３内に挿入されると共に、係合部３７の弾性によって保持される（図８（ｂ）、図９（ｂ）参照）。この状態で、係合部３７を取り外し方向に回動することで、本体部５のベース３に対する係止が外れて、取り外すことができる（図８（ｃ）参照）。
【００４０】
前述したように、本体部５と天面板９は一体成形でもよいが、別部品として組立時において一体化するようにすることで、ＵＶプリンタによる印刷、タンポ印刷または転写が容易になり、例えば天井とおなじ模様を印刷することもできる。
図１０はプリンタ４１によって本体部５に印刷している状態を示し、図１１はプリンタ４１によって天面板９に印刷している状態を示している。このような印刷ができるための条件として、段差が10mm以内である。
これに対して、従来例の火災感知器７１の場合には、図１２に示すように、本体部と天面板とが一体成形されており、これらの凹凸によって印刷ができない。このような従来例では、火災感知器７１の外面は吹き付け塗装されており、外観の自由度が低かった。
【００４１】
図１３は、導気板１３を不透明として、天面板９と本体部５に市松模様を印刷したものを示している。図１４は、導気板１３を透明にした場合であり、導気板１３を透かして本体部５の市松模様が見えている。このように、導気板１３を透明にすれば、本体部５と天面板９で同一の模様を構成した場合にも、導気板１３が模様の邪魔をすることがない。
天井の模様と同一模様を印刷することで、火災感知器１が天井に同化して目立たなくすることができる。
【００４２】
上記の実施の形態は煙感知器を例に挙げて説明したが、本発明の火災感知器１は煙感知器に限らず、熱気流を検知して火災を検知する熱感知器も含む。
熱感知器の場合には、防虫網は設けられないので、天面板９の張り出し長さは、支柱７を基準に決めればよい。
【符号の説明】
【００４３】
１  火災感知器
３  ベース
５  本体部
７  支柱
９  天面板
１１  開口部
１３  導気板
１５  開口
１７  検煙部
１９  基板
２１  ＬＥＤ
２２  張出面
２３  凹凸部
２５  リブ
２７  ディンプル
２９  支持部
３１  光ガイド脚部
３３  着脱器
３５  棒体
３７  係合部
３９  スリット
４１  プリンタ
５１  火災感知器（従来例Ａ）
５３  支柱
５５  天面板
５７  開口部
６１  火災感知器（従来例Ｂ）
６３  支柱
６５  開口部
７１  火災感知器（従来例）
【図１】
2020004066.tif 000003
【図２】
2020004066.tif 000004
【図３】
2020004066.tif 000005
【図４】
2020004066.tif 000006
【図５】
2020004066.tif 000007
【図６】
2020004066.tif 000008
【図７】
2020004066.tif 000009
【図８】
2020004066.tif 000010
【図９】
2020004066.tif 000011
【図１０】
2020004066.tif 000012
【図１１】
2020004066.tif 000013
【図１２】
2020004066.tif 000014
【図１３】
2020004066.tif 000015
【図１４】
2020004066.tif 000016